(57)【要約】【課題】薄型ディスプレイ装置の設置をより容易に、且つ、確実に行うことができるように構成してなる薄型ディスプレイ装置設置用壁面ユニットを提供すること。【解決手段】設置すべき薄型ディスプレイ装置ＴＤを、その少なくとも表示画面部が露出するように受け入れ得る受入開口６を備えた壁手段１と、壁手段に対し、薄型ディスプレイ装置を脱着可能に取り付けるための薄型ディスプレイ装置取付手段２と、壁手段の裏面側に、当該壁手段の高さ方向に沿ってのびる少なくとも一対の補強支柱１８、補強支柱に連結され、壁手段の幅方向に沿ってのびる少なくとも一対の補強梁１９とを含む補強手段３と、補強手段における補強支柱の下端並びに上端に設けられていて、互いに協働して、壁手段を設置空間の所望部所に固定するための高さアジャスタ付き固定手段４とからなる薄型ディスプレイ装置設置用壁面ユニット。【選択図】図１
2011042950.tif 000002
【特許請求の範囲】
【請求項１】
設置すべき薄型ディスプレイ装置を、その少なくとも表示画面部が露出するように受け入れ得る受入開口を備えた壁手段と、
前記壁手段に対し、前記薄型ディスプレイ装置を脱着可能に取り付けるための薄型ディスプレイ装置取付手段と、
前記壁手段の裏面側に、当該壁手段の高さ方向に沿ってのびる少なくとも一対の補強支柱、および、前記補強支柱に連結され、前記壁手段の幅方向に沿ってのびる少なくとも一対の補強梁とを含む補強手段と、
前記補強手段における補強支柱の下端並びに上端に設けられていて、互いに協働して、前記壁手段を設置空間の所望部所に固定するための高さアジャスタ付き固定手段と、
を含むものからなることを特徴とする薄型ディスプレイ装置設置用壁面ユニット。
【請求項２】
前記壁手段の裏面側に、当該壁手段の垂直面性を確保するべく面合わせをし、固定するための面合わせアジャスタ付き固定手段を設けたことを特徴とする請求項１に記載の薄型ディスプレイ装置設置用壁面ユニット。
【請求項３】
前記壁手段に対する薄型ディスプレイ装置取付手段が、
前記壁手段の裏面側に取り付けた少なくとも上下一対でなる二組のストッパ取付台と、
前記各ストッパ取付台に対し、それぞれ枢支軸を介して回動自在に取り付けられ、前記枢支軸のまわりに、一方の側にのびる第１アームと、他方の側にのびる第２アームとを有する少なくとも上下一対でなる二組の回動ストッパ片と、
一端側が、前記上下一対の各回動ストッパ片における各第１アーム間に接続されていて、他端側が、前記上下一対の各回動ストッパ片における各第２アーム間に接続されている操作ワイヤーとを含むものからなることを特徴とする請求項１または請求項２に記載の薄型ディスプレイ装置設置用壁面ユニット。
【請求項４】
前記壁手段の表面側に、表装手段を設けたことを特徴とする請求項１ないしは請求項３のいずれかに記載の薄型ディスプレイ装置設置用壁面ユニット。
【請求項５】
前記壁面ユニットにおける壁手段に、前記薄型ディスプレイ装置に関連するＡＶ機器を収容するためのＡＶ機器収容部を設けたことを特徴とする請求項１ないしは請求項４のいずれかに記載の薄型ディスプレイ装置設置用壁面ユニット。
【発明の詳細な説明】
【技術分野】
【０００１】
この発明は、液晶ディスプレイあるいはプラズマディスプレイなどを用いた薄型ディスプレイ装置を、各種建造物における壁面などに対して、例えば、壁掛け状態あるいは埋め込み状態に設置し、薄型ディスプレイ装置設置空間を、その壁面などとともにシステム的に構築しようとするものであって、特に、薄型ディスプレイ装置の設置をより容易に、且つ、確実に行うことができるように構成してなる薄型ディスプレイ装置設置用壁面ユニットに関するものである。
【背景技術】
【０００２】
周知のように、画像表示装置の薄型化に関する技術開発は、めざましいものがあり、液晶ディスプレイあるいはプラズマディスプレイなどの飛躍的な進歩によって、これらを用いた液晶テレビなどの薄型ディスプレイ装置が多種多様な形態のものとして開発され提供されてきている。
【０００３】
上記する液晶ディスプレイあるいはプラズマディスプレイを用いた薄型ディスプレイ装置は、薄型テレビ、薄型の情報表示装置などとして多くの産業分野において利用されている。この薄型ディスプレイ装置は、従来のブラウン管方式のものにくらべ、超薄型化が可能であること、加えて、大型画面化が可能であることなど、情報表示装置としての構成上の多くの特徴を有している。
【０００４】
そこで、これらの薄型ディスプレイ装置は、上記する構成上の特徴を生かして、例えば、特許文献１のもののように、画像観賞空間における壁面に掛け据えて用いたり、あるいは、壁面に埋め込んで用いたりすることができる。しかしながら、上記する特許文献１に開示されるような掛け据え式のものは、既存の壁面自体に掛け据えのための痕跡を残してしまうという大きな問題点を有している。
【０００５】
一方、特許文献２に開示されるものは、ディスプレイ装置を単に収容するためのユニット家具であって、その設置によって、既存の空間を大きく狭めてしまうという問題、並びに、当該ユニット家具自体が極めて高価なものであるという経済的な問題点を有するものであった。
【０００６】
さらに、従来の設置方法のうちで、壁面埋め込み式の設置方法のものでは、既存壁面の補強加工工事、あるいは、家屋などの建築と同時に対応工事をしなければならず、工期的にも経済的にも極めて大きな負担が強いられていた。
【先行技術文献】
【特許文献】
【０００７】
【特許文献１】特開平１０−１７４０２１号公報
【特許文献２】特開２００４−８１５３８号公報
【発明の概要】
【発明が解決しようとする課題】
【０００８】
そこで、この発明は、液晶テレビなどの薄型ディスプレイ装置を室内あるいは屋外に設置する際、上記するような従来の諸々の問題点に鑑み、それらの問題点を解消しようとするものであり、基本的には、既に同一出願人においてシステム化している壁面構築技術と、当該薄型ディスプレイ装置の上記する構成上の特徴とを有機的に結びつけ、パネル化したパネル構造体に薄型ディスプレイ装置を脱着自在に固定し、当該パネル構造体を、既存の壁面などに沿わせて確実に設置するという薄型ディスプレイ装置設置用壁面ユニットを提供することにある。
【課題を解決するための手段】
【０００９】
この発明は、上記する目的を達成するにあたって、具体的には、設置すべき薄型ディスプレイ装置を、その少なくとも表示画面部が露出するように受け入れ得る受入開口を備えた壁手段と、
前記壁手段に対し、前記薄型ディスプレイ装置を脱着可能に取り付けるための薄型ディスプレイ装置取付手段と、
前記壁手段の裏面側に、当該壁手段の高さ方向に沿ってのびる少なくとも一対の補強支柱、および、前記補強支柱に連結され、前記壁手段の幅方向に沿ってのびる少なくとも一対の補強梁とを含む補強手段と、
前記補強手段における補強支柱の下端並びに上端に設けられていて、互いに協働して、前記壁手段を設置空間の所望部所に固定するためのアジャスタ付き固定手段と、
を含むものからなることを特徴とする薄型ディスプレイ装置設置用壁面ユニットを構成するものである。
【００１０】
さらに、この発明において、請求項２に記載の発明は、請求項１に記載の薄型ディスプレイ装置設置用壁面ユニットであって、前記壁手段の裏面側に、当該壁手段の垂直面性を確保するべく面合わせをし、固定するための面合わせアジャスタ付き固定手段を設けたことを特徴とするものである。
【００１１】
さらに、この発明において、請求項３に記載の発明は、請求項１または請求項２に記載の薄型ディスプレイ装置設置用壁面ユニットであって、前記壁手段に対する薄型ディスプレイ装置取付手段が、
前記壁手段の裏面側に取り付けた少なくとも上下一対でなる二組のストッパ取付台と、
前記各ストッパ取付台に対し、それぞれ枢支軸を介して回動自在に取り付けられ、前記枢支軸のまわりに、一方の側にのびる第１アームと、他方の側にのびる第２アームとを有する少なくとも上下一対でなる二組の回動ストッパ片と、
一端側が、前記上下一対の各回動ストッパ片における各第１アーム間に接続されていて、他端側が、前記上下一対の各回動ストッパ片における各第２アーム間に接続されている操作ワイヤーとを含むものからなることを特徴とするものである。
【００１２】
さらに、この発明において、請求項４に記載の発明は、請求項１ないしは請求項３のいずれかに記載の薄型ディスプレイ装置設置用壁面ユニットであって、前記壁手段の表面側に、表装手段を設けたことを特徴とするものである。
【００１３】
さらに、この発明において、請求項５に記載の発明は、請求項１ないしは請求項４のいずれかに記載の薄型ディスプレイ装置設置用壁面ユニットであって、前記壁面ユニットにおける壁手段に、前記薄型ディスプレイ装置に関連するＡＶ機器を収容するためのＡＶ機器収容部を設けたことを特徴とするものである。
【発明の効果】
【００１４】
以上の構成になるこの発明の薄型ディスプレイ装置設置用壁面ユニットは、当該壁面ユニットを、室内における所望の壁面に沿って立たせ、補強手段における補強支柱の下端および上端に設けてあるアジャスタ付き固定手段によって、設置部所における床面と天井との間に、高さ調節しながら、突っ張り式に設置することができるように構成されているので、既存の壁面に傷を付けたり、あるいは、特別な壁面の補強工事をすることなく、極めて簡単な施工作業により、大型薄型テレビなどを建造物に対して、しっかりと取り付け固定することができる。
【００１５】
さらに、この発明の薄型ディスプレイ装置設置用壁面ユニットは、液晶テレビなどの薄型ディスプレイ装置を、その少なくとも表示画面部が露出するように受け入れ得る受入開口を備えた壁手段に対し、脱着可能に取り付けるように構成したものであって、壁手段およびその表装などの選択的設計により、インテリアとしてのデザイン性の面においても優れたものであるといえる。
【００１６】
さらに、この発明の薄型ディスプレイ装置設置用壁面ユニットは、ディスプレイ装置設置スペースに設置される薄型テレビと、ＡＶ機器収容部ないに収容されるＡＶ機器とを、配線を露出させることなく接続することができるので、外観を損なうことなく、テレビおよび関連ＡＶ機器を収容することができ、その点おいても空間占有率の有効性を確保するものである。
【図面の簡単な説明】
【００１７】
【図１】図１は、この発明になる薄型ディスプレイ装置設置用壁面ユニットについて、その基本的な構成例（第１の実施例）を裏面側からみた概略的な裏面図である。
【図２】図２は、この発明になる薄型ディスプレイ装置設置用壁面ユニットにおいて、壁手段の裏面に補強手段を取り付けてある状態を示す概略的な裏面図である。
【図３】図３は、対象となる薄型ディスプレイ装置に対する金具の取付状態を示す概略的な斜視図である。
【図４】図４は、壁手段に対する薄型ディスプレイ装置取付手段の具体的な実施例を示す図であって、図４Ａは、その概略的な正面図、図４Ｂは、その概略的な側断面図である。
【図５】図５は、この発明になる薄型ディスプレイ装置設置用壁面ユニットについて、壁手段に対する補強手段の異なる例を示すものであって、図５Ａは、その概略的な側断面図、５Ｂは、当該壁面ユニットを裏面側から見た概略的な背面図である。
【図６】図６は、この発明になる薄型ディスプレイ装置設置用壁面ユニットの異なる例を示すものであって、組み立て前の状態を示す概略的な斜視図である。
【図７】図７は、図６に示す実施例において、その組み立ての状態を示すものであって、図７Ａは、壁手段に薄型ディスプレイを取り付ける状態の概略的な側面図、図７Ｂは、室内壁Ｗに沿って設置した状態を示す概略的な側面図、図７Ｃは、高さアジャスタ付固定手段の詳細を示す具体的な斜視図である。
【図８】図８は、この発明になる薄型ディスプレイ装置設置用壁面ユニットの設置状況を示す概略的な斜視図である。
【発明を実施するための形態】
【００１８】
以下、この発明になる薄型ディスプレイ装置設置用壁面ユニット（以下、単に、壁面ユニットＵという）について、図面に示す具体的な実施例に基づいて詳細に説明する。
まず、この発明の適用にかかる薄型ディスプレイ装置ＴＤは、液晶ディスプレイあるいはプラズマディスプレイを用いた構成のものであって、例えば、大画面化した薄型テレビ、薄型の情報表示装置などとして装置化されているものである。
【００１９】
上記するような構成になる薄型テレビは、通常、スタンドなどの起立支持手段が付随していて、このスタンドによって、デスクあるいはテーブルなどの上に起立させた状態で使用されている。大画面化した薄型テレビの場合は、起立させた状態で使用するというよりも、室内壁面に直接的に取り付けている。
この発明では、上記薄型ディスプレイの使用態様に対して、それぞれ応答するように開発した薄型ディスプレイ装置設置用の壁面ユニットＵを提供するものである。
【００２０】
この発明になる壁面ユニットＵは、基本的には、壁手段１と、薄型ディスプレイ取付手段２と、補強手段３と、前記壁手段１を設置空間の所望箇所に固定するための高さアジャスタ付き固定手段４とを含むものからなっている。
【００２１】
この発明において、前記壁手段１は、設置すべき薄型ディスプレイ装置ＴＤを、その少なくとも表示画面部が露出するように受け入れ得る受入開口５を備えたものからなっている。この壁手段１は、建材として強度性並びに装飾性のある合板を含む木材により構成されている。前記壁手段１は、上記木材に限るものではなく、合成樹脂板、あるいはその他の建材によって構成されるものであってもよい。
【００２２】
一つの好ましい実施例において、前記壁手段１は、所望の幅寸法を有する複数枚の板体を、側縁に沿って設けた凹条加工７および凸条加工８を嵌め合わせてパネル化した構成のものが、強度性並びに装飾性の点において有効である。さらに、前記壁手段１は、その表面側１ａに、装飾性のある表装手段９を設けたものであってもよい。
【００２３】
前記薄型ディスプレイ取付手段２は、上記する阿部手段１に対し、薄型ディスプレイ装置ＴＤを脱着自在に取り付け得る構成のものからなっている。前記薄型ディスプレイ取付手段２は、具体的には、前記壁手段１の裏面側１ｂに取り付けた少なくとも上下一対でなる二組のストッパ取付台１０Ｌ、１０Ｒと、この各ストッパ取付台１０Ｌ、１０Ｒに対し、それぞれ枢支軸１１Ｌ、１１Ｒを介して回動自在に取り付けられていて、前記枢支軸１１Ｌ、１１Ｒのまわりに、一方の側にのびる第１アーム１２と、他方の側にのびる第２アーム１３とを有する少なくとも上下一対でなる二組の回動ストッパ片１４Ｌ、１４Ｒと、一端側１５ａが、前記上下一対の各回動ストッパ片１４における各第１アーム１２、１２間に接続されていて、他端側１５ｂが、前記上下一対の各回動ストッパ片１４における各第２アーム１３、１３間に接続されている操作ワイヤー１５Ｌ、１５Ｒとを含むものからなっている。
【００２４】
前記薄型ディスプレイ取付手段２に関連して、図３に示すように、薄型ディスプレイ装置ＴＤに対し、その裏面側ＴＤｂに、例えば、左右一対のディスプレイ取付金具１６Ｌ、１６Ｒがネジ１７によって予め固着されている。
【００２５】
前記薄型ディスプレイ取付手段２により、前記壁手段１に対して、前記薄型ディスプレイＴＤを取り付け、ないしは、取り外す態様について、図１、図３および図４に基づいて説明する。まず、図３に示すように、前記薄型ディスプレイ装置ＴＤには、その裏面に左右一対のディスプレイ取付金具１６Ｌ、１６Ｒが取り付けられる。
【００２６】
この薄型ディスプレイ装置ＴＤを壁手段１に対して取り付ける場合には、前記薄型ディスプレイ取付手段２における回動ストッパ片１４Ｌ、１４Ｒを、図４Ａにおいて仮想線で示す位置（非ロック位置）に位置させておき、しかる後、前記薄型ディスプレイ装置ＴＤを壁手段１における受入開口６に挿入配置する。
【００２７】
この状態で、前記薄型ディスプレイ取付手段２における左右一対の操作ワイヤー１５Ｌ、１５Ｒを、矢印Ｙａ方向に操作して、回動ストッパ片１４Ｌ、１４Ｒを反時計方向に回動する。この際、前記回動ストッパ片１４の第２のアーム１３が、前記薄型ディスプレイ装置ＴＤの裏面ＴＤｂと取付金具１６との間に進入して、前記薄型ディスプレイ装置ＴＤを前記壁手段１に確固に固定することができる。
【００２８】
一方、この薄型ディスプレイ装置ＴＤを壁手段１から取り外す場合には，前記薄型ディスプレイ取付手段２における左右一対の操作ワイヤー１５を、矢印Ｙｂ方向に操作して、回動ストッパ片１４を時計方向に回動し、前記回動ストッパ片１４の第２のアーム１３を仮想線で示す非ロック位置にすることによって、前記薄型ディスプレイ装置ＴＤが非ロック状態となり、前記壁手段１から前記薄型ディスプレイ装置ＴＤを取り外すことができるようになっている。
【００２９】
次に、この発明になる壁面ユニットＵにおける補強手段３について説明する。一例になる前記補強手段３は、前記壁手段１の裏面側１ｂに設けられており、当該壁手段１の高さ方向に沿ってのびる少なくとも一対の補強支柱１８、および、前記補強支柱１８に連結されていて、前記壁手段１の幅方向に沿ってのびる少なくとも一対の補強梁１９とを含むものからなっている。
【００３０】
この補強手段３の別の例を図５に示す。この実施例において補強手段３は、複数の補強支柱１８と、複数の補強梁１９とを有している。前記補強支柱１８と補強梁１９は、それぞれ所望の長さ寸法に設計された、例えば、ステンレス角パイプ２０などにより構成されており、それらのステンレス角パイプ２０を互いにジョイントする＋型ジョイント部材２１、Ｔ型ジョイント部材２２などによって連結したものからなっている。
【００３１】
さらに、この発明において、前記補強手段３における補強支柱１８の下端１８ａおよび上端１８ｂには、互いに協働して、前記壁手段１を設置空間の所望箇所に固定するための高さアジャスタ付き固定手段４が設けてある。この高さアジャスタ付き固定手段４は、図７Ｃに示すように、補強支柱１８における下端１８ａおよび上端１８ｂに対してねじ込みにより組み合わされているねじ込み脚部材２３により構成されており、上下各ねじ込み脚部材２３の回転操作によって、当該壁面ユニットＵを床壁Ｗｂおよび天井壁Ｗｃ間に突っ張り状態で確実、堅牢に固定することができるようになっている。
【００３２】
さらに、この発明になる壁面ユニットＵは、前記壁手段１の裏面側１ｂに、当該壁手段１の垂直面性を確保するべく面合わせをし、固定するための面合わせアジャスタ付き固定手段５が設けてある。この面合わせアジャスタ付き固定手段５は、図５Ａに示すように、前記補強手段３に対して取り付けられていて、前記高さアジャスタ付き固定手段４とほぼ同じ構成のものからなっている。
【００３３】
図６および図７に、この発明になる壁面ユニットＵのさらに異なる実施例を示す。図６に示す実施例によれば、前記面合わせアジャスタ付き固定手段５および前記高さアジャスタ付き固定手段４などにより、前記壁面ユニットＵを固定した後、当該壁面ユニットＵの上縁、下縁および側縁に沿って、上縁当プレート２４、下縁当プレート２５および側縁当プレート２６などを配設して、室内の装飾性を高めることができる。
【００３４】
図７に示す実施例は、薄型ディスプレイ装置ＴＤを壁手段１に対して固定する異なる構成例を示すものであって、別途設計した固定金具２７およびネジ２８などによって薄型ディスプレイ装置ＴＤを壁手段１に固定するものである。前記薄型ディスプレイ装置ＴＤの周囲には、フレーム部材２９が取り付けられるようになっている。
【００３５】
さらに、この発明では、図８に示すように、前記壁面ユニットＵにおける壁手段１に対して、前記薄型ディスプレイ装置ＴＤに関連するＡＶ機器を収容するためのＡＶ機器収容部３０を設けておくこともできる。
【符号の説明】
【００３６】
Ｗ  対象壁面
Ｗａ  側壁
Ｗｂ  床壁
Ｗｃ  天井壁
Ｕ  薄型ディスプレイ装置設置用壁面ユニット
ＴＤ  薄型ディスプレイ装置
１  壁手段
１ａ  壁手段の表側
１ｂ  壁手段の浦側
２  薄型ディスプレイ取付手段
３  補強手段
４  高さアジャスタ付固定手段
５  面合わせアジャスタ付固定手段
６  受入開口
７  凹条加工
８  凸条加工
９  表装手段
１０Ｌ、１０Ｒ  ストッパ取付台
１１Ｌ、１１Ｒ  枢支軸
１２  第１のアーム
１３  第２のアーム
１４Ｌ、１４Ｒ  回転ストッパ片
１５Ｌ、１５Ｒ  操作ワイヤー
１６Ｌ、１６Ｒ  取付金具
１８  補強支柱
１９  補強梁
２０  ステンレス角パイプ
２１  ＋型ジョイント
２２  Ｔ型ジョイント
２３  ねじ込み脚部材
３０  ＡＶ機器収容部
【図１】
2011042950.tif 000003
【図２】
2011042950.tif 000004
【図３】
2011042950.tif 000005
【図４】
2011042950.tif 000006
【図５】
2011042950.tif 000007
【図６】
2011042950.tif 000008
【図７】
2011042950.tif 000009
【図８】
2011042950.tif 000010